(57)【要約】  吸入器は、吸入可能な化合物の加圧リザーバーを有する内側ハウジング（１）を備える。呼吸作動弁（５）は、吸入器の吸入端部において吸入する使用者により操作され得る。化合物流路は、呼吸作動弁（５）から吸入端部まで伸びる。呼吸作動弁が開くと、化合物は化合物流路を経由して分注される。呼吸作動弁（５）は、一方の端部で呼吸作動弁と接する付勢部材によって付勢されて閉じる。内側ハウジング内の栓（１６）は、呼吸作動弁に対向する付勢部材（８）の端部を支持するため、内側ハウジングの開口部に位置している。硬い外側ハウジング（３）は、内側ハウジングを囲み、且つ栓（１６）を支持する。【選択図】図７Ａ
2020536613.tif 000002
【特許請求の範囲】
【請求項１】
吸入器であって、
吸入可能な化合物の加圧リザーバーを有する内側ハウジングと、
前記吸入器の吸入端部において吸入する使用者により操作され得る呼吸作動弁と、
前記呼吸作動弁から前記吸入端部に向かう化合物流路とを備えており、
前記呼吸作動弁が開くと、前記化合物は前記化合物流路を経由して分注され、
前記呼吸作動弁は、一方の端部で前記呼吸作動弁と接する付勢部材によって付勢されて閉じて、
前記吸入器は前記内側ハウジング内に栓を備えており、
前記栓は、前記呼吸作動弁に対向する前記付勢部材の前記端部を支持するため、前記内側ハウジングの開口部に位置しており、
前記吸入器は、前記内側ハウジングを囲み、且つ前記栓を支持する硬い外側ハウジングを備える、ことを特徴とする吸入器。
【請求項２】
前記吸入可能な化合物は、カンナビノイド、薬学的に許容できる派生物、又はその塩を備える、請求項１に記載の吸入器。
【請求項３】
前記吸入器は、前記吸入端部に通じる前記吸入器を通る空気流路と伝達する膜を備えており、
前記膜は、前記付勢部材の動作に対してバルブ要素を移動させるように、前記空気流路内の空気により、変形し得るように構成されている、請求項１又は２のいずれかに記載の吸入器。
【請求項４】
前記吸入器は、前記付勢部材に隣接する前記内側ハウジングの一部を形成するキャップを備えており、
穴が、前記栓を受容するように、前記キャップに設けられている、請求項１〜３のいずれかに記載の吸入器。
【請求項５】
前記外側ハウジングは、非溶接手段で取り付けられている多くの構成要素から形成されている、請求項１〜４のいずれかに記載の吸入器。
【請求項６】
前記構成要素は共に取り付けられている、請求項５に記載の吸入器。
【請求項７】
前記構成要素は不可逆的に共に取り付けられている、請求項６に記載の吸入器。
【請求項８】
請求項４に記載の吸入器を組み立てる方法であって、
前記キャップを前記内側ハウジングの残余部分に取り付けるステップと、
前記付勢部材を前記キャップの前記穴に挿入するステップと、
前記付勢部材を所定の位置に固定するため、前記栓を前記キャップに取り付けるステップと、
前記栓を支持するため、前記外側ハウジングを組み立てるステップとを備える、ことを特徴とする方法。
【請求項９】
カンナビノイド吸入器であって、
内側ハウジングと、
カンナビノイド、薬学的に許容できる派生物、又はその塩を備える吸入可能な化合物を収容する、前記内側ハウジング内の加圧されるリザーバーと、
前記内側ハウジングの吸入端部において、前記リザーバーと化合物出口から外へ向かう化合物流路と、
前記化合物流路を通る前記吸入可能な化合物の流れを制御するための非定量呼吸作動出口弁と、
前記リザーバーが補充され得る補充弁と、
吸入ハウジングの前記吸入端部を露出させて前記吸入ハウジングを囲む外側ハウジングとを備えており、
前記外側ハウジングは、長手方向を定める主軸、及び前記長手方向と垂直な平面における少なくとも１つの断面において、１．２ｍｍよりも大きい幅と奥行きのアスペクト比と、２０ｍｍよりも大きい最大幅とを含む連続的な曲線状の扁平形状を有する、ことを特徴とする吸入器。
【請求項１０】
前記扁平形状は、対向する平面を備えており、
少なくとも１つの前記平面は、前記吸入器の長さの少なくとも３分の１まで、及び前記吸入器の幅の少なくとも３分の１まで伸びる凹部を備える、請求項９に記載の吸入器。
【請求項１１】
前記凹部は、前記リザーバーの長さの少なくとも半分まで伸びる、請求項１０に記載の吸入器。
【請求項１２】
前記凹部は、前記吸入器の幅の少なくとも半分まで伸びる、請求項１０又は１１に記載の吸入器。
【請求項１３】
前記凹部の奥行きは、前記吸入器の奥行きの１０％よりも大きい、請求項１０〜１２のいずれかに記載の吸入器。
【請求項１４】
それぞれの前記平面は凹部を備える、請求項１０〜１３のいずれかに記載の吸入器。
【請求項１５】
カンナビノイド吸入器と補充パックとの組み合わせであって、
前記カンナビノイド吸入器は、
ハウジングと、
カンナビノイド、薬学的に許容できる派生物、又はその塩を備える吸入可能な化合物を収容する、前記ハウジング内の加圧されるリザーバーと、
前記ハウジングの吸入端部において、前記リザーバーと化合物出口から外へ向かう化合物流路と、
前記化合物流路を通る前記吸入可能な化合物の流れを制御するための非定量呼吸作動出口弁と、
前記リザーバーが補充され得る補充弁とを備えており、
前記補充パックは、前記吸入器、吸入可能な化合物の加圧キャニスター、及び前記吸入器を囲むように閉じ得るドアを保持するための凹部を有するハウジングを備えており、
前記ドアは、前記ハウジングのそれぞれの端部において、それぞれのラッチにより閉じたままであり、
それぞれの前記ラッチは、前記ハウジングの部分を前記ハウジングの内部に向けて押圧することにより、動作可能であり、
前記ラッチは少なくとも８０ｍｍ離れている、ことを特徴とする組み合わせ。
【請求項１６】
前記ラッチは少なくとも９０ｍｍ離れている、請求項１５に記載の組み合わせ。
【請求項１７】
カンナビノイド吸入器と補充パックとの組み合わせであって、
前記カンナビノイド吸入器は、
ハウジングと、
カンナビノイド、薬学的に許容できる派生物、又はその塩を備える吸入可能な化合物を収容する、前記ハウジング内の加圧されるリザーバーと、
前記ハウジングの吸入端部において、前記リザーバーと化合物出口から外へ向かう化合物流路と、
前記化合物流路を通る前記吸入可能な化合物の流れを制御するための非定量呼吸作動出口弁と、
前記リザーバーが補充され得る補充弁とを備えており、
前記補充パックは、前記吸入器、及び吸入可能な化合物の加圧キャニスターを保持するための凹部を有するハウジングを備えており、
前記加圧キャニスターが、前記補充パックの前記ハウジングを壊すこと以外により、利用できないように、前記補充パックは、前記加圧キャニスターを囲むように組み立てられる少なくとも２つの部分から形成される、ことを特徴とする組み合わせ。
【請求項１８】
前記少なくとも２つの部分は共に溶接される、請求項１７に記載の組み合わせ。
【請求項１９】
カンナビノイド吸入器と補充パックとの組み合わせであって、
前記カンナビノイド吸入器は、
ハウジングと、
カンナビノイド、薬学的に許容できる派生物、又はその塩を備える吸入可能な化合物を収容する、前記ハウジング内の加圧されるリザーバーと、
前記ハウジングの吸入端部において、前記リザーバーと化合物出口から外へ向かう化合物流路と、
前記化合物流路を通る前記吸入可能な化合物の流れを制御するための非定量呼吸作動出口弁と、
前記リザーバーが補充され得る補充弁とを備えており、
前記補充パックは、前記吸入器、及び吸入可能な化合物の加圧キャニスターを保持するための凹部を有するハウジングを備えており、
前記補充パックの前記ハウジングは、前記加圧キャニスターを収容する端部において、幅が大きく、また反対側の端部にある曲線状の断面を有する、ことを特徴とする組み合わせ。
【請求項２０】
前記ハウジングは、前記加圧補充キャニスターの出口の周辺において、透明窓部を備える、請求項１９に記載の組み合わせ。
【請求項２１】
前記吸入器の補充端部は、前記加圧補充キャニスターの出口の周辺において、凹部に適合するように構成されている、請求項１９又は２０に記載の組み合わせ。
【発明の詳細な説明】
【技術分野】
【０００１】
本発明は、吸入器、特にカンナビノイド吸入器、及びその吸入器を組み立てる方法に関する。
【背景技術】
【０００２】
カンナビノイドは、長きにわたり、鎮痛、発作の治療、制吐などにおける、その治療可能性で知られている。一方、カンナビノイドは、その精神活性作用のため、使用することが多くの議論に関連している化合物群である。この精神活性作用は、カンナビノイド受容体（ＣＢ１及びＣＢ２）、及びＴＨＣ（テトラヒドロカンナビノール）、ＣＢＤ（カンナビジオール）、ＣＢＮ（カンナビノール）、及びＴＨＣＶ（テトラヒドロカンナビバリン）のようなカンナビノイドごとの分離を発見するまで、主に、受容体ＣＢ１に対する大きな親和性を有する（ＴＨＣのような）化合物に起因し得るものではなかった。また、それぞれのカンナビノイドが受容体に対する親和性において互いに異なること、及びＣＢＤのような所定のカンナビノイドがＣＢ１／ＣＢ２アンタゴニストとして働き、ＴＨＣのようなアゴニストの一部の作用を防ぐことが証明されている。
【０００３】
進行中の研究により、カンナビノイドの治療への応用は、次第に明らかになり、多くの国において、医療目的に対するこれらの化合物の合法化をもたらす。この分野における研究の主な目的は、カンナビノイドの安全、急速、及び／又は効果的な送達に関連している。
【０００４】
カンナビノイドの送達についての多くの方法が、先行技術において知られている。
【０００５】
例えば、米国公開特許２０１２／０３０４９９０号は、大麻の堆積物を蒸発させるため、加熱する使用法を示している。このシステムの１つの欠点は、大麻が蒸発する温度（１８０〜２００℃）と毒素が生じる温度（２３０℃）との間において、小さな温度差しかないことである。
【０００６】
多くの先行技術（例えば、国際公開特許０３／０５５５４９、米国登録特許６５０９００５号、及び国際公開特許２００４／０００２９０号）が、定量投与吸入器の使用法を開示している。そのような吸入器は多くの欠点を抱えている。まず、計量チャンバーは相対的に小さい、すなわち一般的に１００μｌ未満であり、極めて集中した投与量の送達をもたらす。また、そのような装置は、使用者に、出口弁の作動と吸入を適切に調整することを要求するため、適切に調整することを失敗して、送達投与量が変化し得る。
【０００７】
別の一般的な方法は、例えば、国際公開特許０２／０６４１０９号と米国公開特許２００６／１３５５９９号に開示されている単純なスプレーである。この国際公開特許０２／０６４１０９号と米国公開特許２００６／１３５５９９号は、舌下又は口腔のスプレーを提供するように考案されている。そのようなスプレーは、ＧＷファーマシューティカルズにより、サティベックス（商標）の下で販売されている。これらのスプレーは、唾液の洗い流す動作のため、薬品の送達投与量が不均一になり得ることを抱えている。また、これらのスプレーは、肺送達に比べて遅い作動の開始を有する。
【０００８】
この目的の発明は、国際公開特許２０１５／１２１６７３号に開示されている。この国際公開特許２０１５／１２１６７３号は、シミュレートされたたばこに基づく吸入器を利用して、大麻を分注するため、この吸入器を用いる。
【０００９】
吸入器は、加圧リザーバーと呼吸作動弁を用いて、シミュレートされたたばこの設計に基づく。吸入器の吸入端部における吸引により、加圧リザーバーが剤形を分注できるように、呼吸作動弁を開く。
【００１０】
吸入器は、主に、シミュレートされたたばことして、形成されている。呼吸作動弁の詳細は、国際公開特許２００９／００１０８２号、国際公開特許２０１０／０７３０１８号、国際公開特許２０１１／０１５８２５号、国際公開特許２０１１／０１５８２６号、国際公開特許２０１４／０３３４３８号、国際公開特許２０１４／０３３４３９号、国際公開特許２０１４／１５５０９１号、及び国際公開特許２０１６／００５７２８号に記載されている。
【００１１】
吸入器のさらなる詳細は、国際公開特許２０１１／１１７５８０号と国際公開特許２０１４／１５５０９３号において、提供されている。
【００１２】
吸入器が検査され、且つ組み立てられる方法の詳細が、国際公開特許２０１５／０８７０４５号、国際公開特許２０１４／１５５０９５号、及び国際公開特許２０１６／０４６５６７号において、提供されている。
【００１３】
吸入器は、たばこパックの形状と大きさを有するように形成されている補充パックにより補充できるように形成されている。補充パックの詳細は、国際公開特許２００９／００１０７８号、国際公開特許２０１４／１５５０９２号、国際公開特許２０１４／１５５０９０号、及び国際公開特許２０１４／１５５０８９号において、提供されている。
【００１４】
国際公開特許２０１５／１２１６７３号は、そのような吸入器から、カンナビノイド系生成物を分注するために必要となる化合物の詳細を提供している。
【００１５】
上述の参考文献は、吸入器内部の仕組みと化合物についての完全な記載を提供している。
【発明の概要】
【００１６】
本発明は、カンナビノイド生成物を分注することに適している、そのような吸入器の変更を提供する。
【００１７】
上述の吸入器による１つの問題は、閉じた呼吸作動弁を付勢するように形成されているばねがあることに関する。このばねは、キャップが導入されて、所定の位置に溶接される前に、吸入器に挿入される。これは、一部の組み立て工程の間、キャップがばねを覆って、到達できない状態であるため、扱いにくい操作である。また、金属のばねは、溶接工程の間、熱くなり得るため、囲んでいる金属に該ばね自体を埋め込み得る。これは、ばねが弁を閉じるように付勢する力に悪影響を及ぼす。
【００１８】
本発明によれば、請求項１に記載の吸入器が提供される。
【００１９】
本発明は外側ハウジングを用いる。これにより、付勢部材のための支持部が、事前に溶接されたキャップよりも付勢部材を支持するための栓を含むように再構成され得る。硬い外側ハウジングは、栓を支持するため、内側ハウジングを囲む。
【００２０】
吸入器の化合物が、カンナビノイド、薬学的に許容できる派生物、又はその塩を備える場合、外側ハウジングに対する必要性が、そのような状況において大きくなるため、この変更は特に適用できる。
【００２１】
また、吸入器は、好ましくは、吸入端部に通じる吸入器を通る空気流路と伝達する膜を備える。この膜は、付勢部材の動作に対してバルブ要素を移動させるように、空気流路内の空気により、変形し得るように構成されている。この膜は、相対的に小さな空間において付勢部材を克服するように、相対的に大きな力を生じる最適な方法をもたらす幅の大きい表面領域を与え得る。
【００２２】
さらに、吸入器は、好ましくは、付勢部材に隣接する内側ハウジングの一部を形成するキャップを備える。穴が、栓を受容するように、キャップに設けられている。
【００２３】
外側ハウジングは、共に溶接されている多くの構成要素から形成され得る。この場合、溶接継手はまた、上述のように設定された溶接熱を含む問題を回避するように、付勢部材から防がれ得る。一方、外側ハウジングは、好ましくは、非溶接手段で取り付けられている多くの構成要素から形成されている。構成要素は、好ましくは、共に取り付けられている。この場合、構成要素は、好ましくは、不可逆的に共に取り付けられている。したがって、外側ハウジングは、構成要素に回復不能な損傷を与えることなく、分解することができない。
【００２４】
本発明のこの態様はまた、好ましくは、請求項５に記載の吸入器を組み立てる方法に及ぶ。
【００２５】
国際公開特許２０１５／１２１６７３号に記載の吸入器を大麻分注器として用いることによる問題は、吸入器が、限られた指の器用さを有する使用者により用いられることである。国際公開特許２０１５／１２１６７３号の吸入器は、指先に保持されるように形成され、且つ吸入器を補充するため、補充ノズルに付勢されている。
【００２６】
本発明の第２の態様によれば、請求項６に記載の吸入器が提供される。
【００２７】
相対的に平坦なボディを有する非常に大きな吸入器を提供することにより、この吸入器は、親指、人さし指、及び手の平の間で容易に保持され得るため、限られた器用さにより、吸入器を補充することは非常に容易である。
【００２８】
これを強化するため、扁平形状は、対向する平面を備える。少なくとも１つの平面は、吸入器の長さの少なくとも３分の１（好ましくは２分の１）まで、及び吸入器の幅の少なくとも３分の１（好ましくは２分の１）まで伸びる凹部を備える。この相対的に大きな凹部の端部は、使用者が吸入器を操作することを容易にする追加の表面を与える。特に、凹部の奥行きは、好ましくは、吸入器の奥行きの１０％よりも大きい。相対的に大きな奥行きの凹部は、使用者が、装置を補充パックに接続するとき、押圧し得る吸入器の吸入端部に対向する表面を与える。凹部だけが吸入器の側面にある場合、それぞれの平面は、好ましくは、凹部を備える。
【００２９】
分注される化合物の特性を考慮して、吸入器は、子供が操作できないように保管されるべきである。そのような子供が操作できない保管部は、国際公開特許２０１５／１２１６７３号において、提供されている。
【００３０】
本発明の第３の態様によれば、請求項１２において定められているような吸入器と補充パックとの組み合わせが提供される。
【００３１】
ハウジングのそれぞれの端部において、少なくとも８０ｍｍ（好ましくは９０ｍｍ）離れているラッチを与えることにより、補充パックは、子供が補充パックを片手で持つことにより、子供の手が両方のラッチに同時に届かないため、誤って容易に操作されない。当然、子供は両方の手を用いてコンテナを開け得る一方、コンテナは器用さと協調をはるかに必要とする。これは、偶然起こるよりもはるかに稀である。同時に、補充が、限られた器用さを有する使用者により用いられるように意図されていることを考慮すると、ハウジングの対向する端部における２つのラッチを押圧することにより、コンテナが簡単に開き得ることにより、使いやすい機構をもたらす。この機構はまた、補充パックの美観に過度に悪影響を及ぼすことなく、補充パックに容易に形成され得る。
【００３２】
また、化合物の特性を考慮して、使用者が、補充キャニスターから直接、化合物を分注できないことが好ましい。これは、補充パックのハウジング内に補充ノズルを作ることにより、補充キャニスター内で扱われ得る。本発明の第４の態様に従って、請求項１４に記載のカンナビノイド吸入器と補充パックとの組み合わせが提供される。
【００３３】
加圧キャニスターとの接続を得る唯一の方法は、補充パックのハウジングを壊すことであるため、これを行うための思いがけない試みを防ぐ。ハウジングを壊すことができる場合、これは決して容易ではなく、加圧キャニスターに損傷を与える虞がある。したがって、この補充パックが、思いがけない使用者により試され、国際公開特許２０１５／１２１６７３号よりも大きな保護を提供する可能性は低い。例えば、補充パックの一部は、不可逆的な方法で共に取り付けられているため、容易に分離できない。したがって、補充パックの一部を分離することにより、回復不能な損傷をハウジングに与えることを必ずもたらす。一方、好ましくは、少なくとも２つの部分が、例えば音波溶接により、共に溶接される。
【００３４】
本発明の第５の実施形態によれば、請求項１６に記載のカンナビノイド吸入器と補充パックとの組み合わせが提供される。補充パックのハウジングが、加圧キャニスターの収容部において、幅が大きい曲線状の断面を有することにより、人間工学的利点をもたらす。この形状は、必然的に、使用者が、幅の大きな端部において、補充パックのハウジングを把持することを促す。この幅の大きな端部は、補充動作を行うため、吸入器を挿入する端部である。使用者がこの端部を保持するため、この端部は、補充パックに対して吸入器を付勢する対象となる安定基部を与える。
【００３５】
好ましくは、ハウジングは、加圧補充キャニスターの出口の周辺において、透明窓部を備える。これにより、使用者は、吸入器と加圧補充キャニスターの出口との間の接合の視覚的なガイドを有することができる。
【００３６】
好ましくは、吸入器の補充端部は、加圧補充キャニスターの出口の周辺において、凹部に適合するように構成されている。これは、吸入器を補充位置に案内することを助けて、透明窓部があることにより潜在的に促される。
【図面の簡単な説明】
【００３７】
本発明の様々な態様の実施例は、添付図面を参照して記載される。
【図１Ａ】図１Ａは、吸入器の正面図である。
【図１Ｂ】図１Ｂは、吸入器の左側面図である。
【図１Ｃ】図１Ｃは、吸入器の平面図である。
【図１Ｄ】図１Ｄは、吸入器の右側面図である。
【図１Ｅ】図１Ｅは、吸入器の底面図である。
【図１Ｆ】図１Ｆは、吸入器の背面図である。
【図２Ａ】図２Ａは、吸入器の上面と背面の斜視図である。
【図２Ｂ】図２Ｂは、吸入器の上面と正面の斜視図である。
【図２Ｃ】図２Ｃは、吸入器の底面と背面の斜視図である。
【図２Ｄ】図２Ｄは、吸入器の底面と正面の斜視図である。
【図３】図３は、吸入器の平面図である。
【図３Ａ】図３Ａは、図３の線Ａ−Ａに沿った断面図である。
【図３Ｂ】図３Ｂは、図３Ａの円Ｂ内の部分拡大断面図である。
【図４Ａ】図４Ａは、内部コアの上面斜視図である。
【図４Ｂ】図４Ｂは、内部コアの底面斜視図である。
【図５Ａ】図５Ａは、補充パックの平面図である。
【図５Ｂ】図５Ｂは、補充パックの背面図である。
【図５Ｃ】図５Ｃは、補充パックの左側面図である。
【図５Ｄ】図５Ｄは、補充パックの正面図である。
【図５Ｅ】図５Ｅは、補充パックの右側面図である。
【図５Ｆ】図５Ｆは、補充パックの底面図である。
【図６Ａ】図６Ａは、補充パックの上面と背面の斜視図である。
【図６Ｂ】図６Ｂは、補充パックの上面と正面の斜視図である。
【図６Ｃ】図６Ｃは、補充パックの底面と背面の斜視図である。
【図６Ｄ】図６Ｄは、補充パックの底面と正面の斜視図である。
【図７Ａ】図７Ａは、所定の位置に示す吸入器を備える、ドアが開いている状態の補充の斜視図である。
【図７Ｂ】図７Ｂは、吸入器が取り外された、ドアが開いている状態の補充の斜視図である。
【発明を実施するための形態】
【００３８】
本発明は、図１〜４，７Ａに示す吸入装置１、及び図５〜７に示す補充パック２を備える。
【００３９】
吸入装置１の内部の仕組みは、上述のすべての国際公開特許に記載されている吸入器Ｉに基づく。この吸入器Ｉは、本発明の内側コアを形成する。本発明により提供される変更は、大まかに、以下に説明するような外側ハウジング３により、この内側コアＩを囲むことである。
【００４０】
一般的に、吸入器Ｉの仕組みは変わらないため、本明細書において、詳細に説明しない。
【００４１】
大まかに、吸入器のコアは、リザーバー４と呼吸作動弁の機構５を備える。この呼吸作動弁の機構５は、ばね荷重部材の弁部材６（図３Ｂ参照）を有する。この弁部材６は、リザーバー４への接続を遮断するために閉じる変形可能なチューブ７を締め付ける。弁要素６は、ばね８により付勢されて閉じる。膜９は、空気流路と伝達する。したがって、出口端部１０における吸引は、膜における圧力の変化を生じる。この圧力の変化により、ばね８の作動に対して弁要素６を解除する。この機構５のさらなる詳細は、上述の参考文献に示す。
【００４２】
吸入器のコアは、補充バルブ１３に隣接している固定具１２により保持される浸漬管１１を有する。この浸漬管１１により、吸入器Ｉは、補充端部１４において、補充され得る。また、さらなる詳細は、上述の参考文献に示す。
【００４３】
図３Ｂにおいて、吸入器Ｉに対する変更の１つを示す。吸入器Ｉは、膜９の周辺において、キャップ１５により閉じている。このキャップ１５は、上述の参考文献において、ばね８を直接支持する。一方、本発明の場合、栓１６の形状をしている別の構成要素が、キャップ１５の開口部１７に挿入されて、Ｏリング１８により密閉されている。これにより、ばね８が、所定の位置に置かれて、栓１６により保持される前に、キャップ１５は所定の位置に溶接され得る。
【００４４】
例えば、図１，２から明らかなように、外側ハウジング３は、３つの独立部分、すなわちマウスピースケーシング２０、上部ケーシング２１、及び下部ケーシング２２から形成されている。これらのマウスピースケーシング２０、上部ケーシング２１、及び下部ケーシング２２は、外側ハウジングを形成するように、共に取り付けられている。図３Ｂに示すように、Ｏリング２３は、マウスピースケーシング２０に対して、吸入器のコアのフランジ２４を密閉する。このフランジ２４は、吸入器Ｉの別の変化を示す。同様のフランジ２４Ａが、外側ハウジング３と反対側の端部にある。マウスピースケーシング２０はまた、栓１６が取り除かれることを防ぐように、（図３Ｂにおいて、１つだけを示す）多くのリブ２５を備える。
【００４５】
吸入器のコアはまた、外側ハウジング３内において、伸長リブ２６があることにより、所定の位置に保持されている。この伸長リブ２６は、吸入器Ｉを所定の位置に保持するため、吸入器Ｉの長さの大部分に沿って伸びて、外側ハウジング３の対応するスロットに係合する。
【００４６】
図１，２に特に示すように、外側ハウジング３は、特に、限られた手の器用さを有する使用者に対する吸入装置１の有用性を強化するため、多くの人間工学的特徴を備える。
【００４７】
したがって、外側ハウジング３は、図３Ａ，１Ａ，１Ｆに示すような吸入器のコアよりもかなり大きなサイズを備える。図１Ａ，１Ｆの吸入端部１０と補充端部１４において、吸入器Ｉを示す。この吸入器Ｉは、最も幅の大きい位置において、約２６ｍｍの直径であり、好ましくは、約２０ｍｍの奥行きである。これは、図１Ａ，１Ｆに示す相対的に平坦で細長い構造をもたらす。凹部３０が、多くの図に示すような外側ハウジング３の上面と下面に設けられている。これにより、吸入装置１は、吸入過程の間、及び補充されているとき、容易に把持する。使用者は、吸入の間、指を上方の凹部に、また親指を下方の凹部に置いて、吸入器を把持する。吸入器は、いずれかの方法で用いられ得る一方、吸入器が矢印の最上部と同じ方向に常に用いられることを促すように、吸入器の上部に印を付ける矢印３１の形状のインディカを備える。この方向において、化合物出口３２（図１Ｆ，３Ｂ参照）は最上部にある。これにより、統一された投与パターンをもたらす一方、吸入器は、いずれの方向においても動作する。
【００４８】
吸入装置１が補充される必要があるとき、補充端部３３は、以下に説明するような補充パック２に挿入される。凹部３０は、使用者により容易に把持され、且つ方向付けられる、対となる表面３４を与える。したがって、使用者は、押圧する力を容易に与えて、補充端部３３を以下に説明するような補充パックに付勢し得る。
【００４９】
補充パック２は、図５〜７を参照して説明される。
【００５０】
補充パック２は、図７Ａ，７Ｂに示すような開閉可能なドア４１を含むハウジング４０を有しており、２つの区画、すなわちドア４１の裏に位置する装置収容区画４２、及び図６Ａに示す加圧補充キャニスター４３を収容するための区画に特に分離される。この補充パック２は、標準的な加圧シリンダーの構造であり、国際公開特許２０１５／１２１６７３号において定められている区画を収容する。キャニスター４３は、補充パックを対象とする上述の参考文献に記載される吸入装置１を補充するため、吸入装置１によりキャニスター４３に押圧されるノズル４４を有する。
【００５１】
ドア４１以外のハウジング４０のボディは、キャニスター４３を密閉するように、線４７に沿って（例えば、音波溶接により、）溶接されている２つの部分４５，４６により与えられている。したがって、キャニスター４３は、ハウジング４０を壊すことなく、取り外されることがない。代替として、この部分は、不可逆的な方法で共に取り付けられ得る。
【００５２】
窓部４８は、吸入装置１の補充端部３３が、ノズル４４を囲む凹部４９に挿入されるとき、使用者が見えるように、ノズル４４の両側において、ハウジング４０に設けられている。凹部４９は、吸入端部３３の形状に有利な形状を有する。したがって、使用者が、補充ノズル４４に向けて案内されている補充端部３３を見えるだけでなく、吸入装置１も、補充端部３３と凹部４９の相互作用により案内される。
【００５３】
ドア４１は、ドア４１が、図５，６に示す閉位置と図７に示す開位置との間において、ヒンジで結合され得るように、一対のヒンジ５０により、ハウジング４０の主要なボディに取り付けられている。図７Ｂから分かるように、ハウジング４０は、図７Ａに示す所定の位置に吸入装置１を保持するため、吸入装置１の形状に有利な凹部５１を備える。一対のクリップ５２は、リテーナー装置１を所定の位置に保持する。したがって、リテーナー装置１は、ドア４１が開くとき、脱落しない一方、容易に取り外され得る。
【００５４】
一対のラッチ５３がドア４１のそれぞれの端部に設けられている。それぞれのラッチ５３は、ケーシング４０のそれぞれの開口部５５において、係合するように弾性的に変形し得るフック５４、及び目に見える矢印記号が明確に取り付けられている取り外し構成要素５６を備える。この矢印は、使用者が取り外し構成要素５６との係合を容易に探し得るように、表面に質感を有する。ノッチ５７は、取り外し構成要素５６の周辺において、ドア４０に設けられている。したがって、取り外し構成要素５６は、フック５４を開口部５５から取り外すため、ハウジングの内部で偏向して、ドア４１を開き得る。ラッチ５３は、約１００ｍｍの長さを有する装置のそれぞれの端部に意図的に位置している。したがって、ラッチ５３は、子供が片手で装置を持つことにより、開けられない距離だけ、離間している一方、成人の大きさの手により、容易に開けられる。
【００５５】
図５Ａ，５Ｆから分かるように、ハウジング４０は、補充キャニスター４３を有する端部において、反対側の端部よりもわずかに幅が大きい曲線状の外形を有する。これは、使用者が、幅が大きい端部周りのハウジング４０を把持する傾向が必然的にあることを示す。これにより、使用者が、吸入装置１の補充端部３３を凹部４９に挿入するとき、安定した配置をもたらす。
【００５６】
所定の請求項がカンナビノイド吸入器を明記して、カンナビノイドを備える吸入可能な化合物を必要とするとき、本発明のすべての態様は、いずれかの吸入可能な医薬組成物と共に用いられ得る。
【図１Ａ】
2020536613.tif 000003
【図１Ｂ】
2020536613.tif 000004
【図１Ｃ】
2020536613.tif 000005
【図１Ｄ】
2020536613.tif 000006
【図１Ｅ】
2020536613.tif 000007
【図１Ｆ】
2020536613.tif 000008
【図２Ａ】
2020536613.tif 000009
【図２Ｂ】
2020536613.tif 000010
【図２Ｃ】
2020536613.tif 000011
【図２Ｄ】
2020536613.tif 000012
【図３】
2020536613.tif 000013
【図３Ａ】
2020536613.tif 000014
【図３Ｂ】
2020536613.tif 000015
【図４Ａ】
2020536613.tif 000016
【図４Ｂ】
2020536613.tif 000017
【図５Ａ】
2020536613.tif 000018
【図５Ｂ】
2020536613.tif 000019
【図５Ｃ】
2020536613.tif 000020
【図５Ｄ】
2020536613.tif 000021
【図５Ｅ】
2020536613.tif 000022
【図５Ｆ】
2020536613.tif 000023
【図６Ａ】
2020536613.tif 000024
【図６Ｂ】
2020536613.tif 000025
【図６Ｃ】
2020536613.tif 000026
【図６Ｄ】
2020536613.tif 000027
【図７Ａ】
2020536613.tif 000028
【図７Ｂ】
2020536613.tif 000029
【国際調査報告】
2020536613.tif 000030
2020536613.tif 000031